(57)【特許請求の範囲】
【請求項１】
セル方式が採用された移動体通信システムに適用され、近傍の基地局を介してパケット通信及び音声通信を行う移動体通信機器であって、
予め定められた周波数テーブルに従って止まり木スキャンを行い、所定受信レベルの止まり木チャネルを検索するスキャン手段と、
前記スキャン手段が検索した止まり木チャネルの基地局がパケット通信に対応しているか否かを判別する判別手段と、
前記判別手段が判別した判別結果を規定する判別情報を記憶する記憶手段と、
前記記憶手段が記憶する判別情報に従って、音声通信中及びパケット通信中における通信可能・不可能状態を示す情報を共通に表示する表示手段と、を備え、
前記表示手段は、
音声通信中において通信不可能となると、通信圏外を示す情報を表示し、
パケット通信中において通信不可能となると、パケット通信に対応していないことを示す判別情報が前記記憶手段に記憶されている場合に、通信圏外を示す情報を表示することなく通信圏内を示す情報を表示し、前記記憶手段に記憶されていない場合に、通信圏外を示す情報を表示する、
ことを特徴とする移動体通信機器。
【請求項２】
セル方式が採用された移動体通信システムに適用され、近傍の基地局を介してパケット通信及び音声通信が可能であり、音声通信中及びパケット通信中における通信可能・不可能状態を示す情報を所定の表示部に共通に表示する移動体通信機器であって、
予め定められた周波数テーブルに従って止まり木スキャンを行い、所定受信レベルの止まり木チャネルを検索し、
検索したチャネルの基地局がパケット通信に対応しているか否かを判別して、判別結果を規定する判別情報を所定の記憶部に記憶し、
音声通信中において通信不可能となると、通信圏外を示す情報を表示部に表示し、
パケット通信中において通信不可能となると、パケット通信に対応していないことを示す判別情報が記憶部に記憶されている場合に、通信圏外を示す情報を表示することなく、通信圏内を示す情報を表示部に表示し、記憶部に記憶されていない場合に、通信圏外を示す情報を表示部に表示する、
ことを特徴とする移動体通信機器。
【請求項３】
セル方式が採用された移動体通信システムに適用され、近傍の基地局を介してパケット通信及び音声通信を行う移動体通信機器における表示制御方法であって、
予め定められた周波数テーブルに従って止まり木スキャンを行い、所定受信レベルの止まり木チャネルを検索するスキャンステップと、
前記スキャンステップにて検索された止まり木チャネルの基地局がパケット通信に対応しているか否かを判別する判別ステップと、
前記判別ステップが判別した判別結果を規定する判別情報を、所定の記憶部に格納する格納ステップと、
前記格納ステップにて記憶部に格納された判別情報に従って、音声通信中及びパケット通信中における通信可能・不可能状態を示す情報を所定の表示部に共通に表示する表示ステップと、を備え、
前記表示ステップは、
音声通信中において通信不可能となると、通信圏外を示す情報を表示し、
パケット通信中において通信不可能となると、パケット通信に対応していないことを示す判別情報が記憶部に格納されている場合に、通信圏外を示す情報を表示することなく通信圏内を示す情報を表示し、記憶部に格納されていない場合に、通信圏外を示す情報を表示する、
ことを特徴とする表示制御方法。
【発明の詳細な説明】
【０００１】
【発明の属する技術分野】
この発明は、移動体通信機器および表示制御方法に関する。
【０００２】
【従来の技術】
近年、移動体通信システムの進歩に伴って、携帯電話等の移動体通信機器が広く普及している。このような移動体通信システムでは、複数の基地局が分散して設置されており、移動体通信機器が近傍の基地局（通信圏内の基地局）を介して、他の移動体通信機器等との間で通信を行う。
【０００３】
移動体通信機器は、電源投入時や通信圏外に在圏時に、「止まり木スキャン」と呼ばれる処理を実行する。この止まり木スキャンとは、止まり木チャネルの候補となる全チャネルについて、受信レベルを測定し、その中から安定した通信を行えるチャネルを検索し、更に、制御チャネルへの同期を試みて、待ち受け状態に移行する処理のことである。
そして、通信可能レベルのチャネルを全く検索できない場合や、検索できても制御チャネルへの同期が取れなかった場合に、移動体通信機器は、所定時間の経過を待って、再度止まり木スキャンを実行する。このように、止まり木スキャンを繰り返している間において、発着信が不可能な状態となり、移動体通信機器は、その旨を利用者に知らせるために、例えば、「圏外」のシンボルを表示部に表示する。つまり、移動体通信機器は、止まり木チャネルを確保できない間、圏外表示を行う。
【０００４】
最近では、通話だけでなく、メールの送受信やインターネットへのアクセスも行える移動体通信機器が一般的に普及している。このような移動体通信機器は、パケット通信により、基地局を介して所定のサービスプロバイダ等との間でデータ伝送を行い、受信した有用な情報を表示部に表示することができる。
【０００５】
【発明が解決しようとする課題】
上述した移動体通信システムにおいて、音声発着信のみが可能なゾーン（非パケットサポートゾーン）と、加えてパケット通信も可能なゾーン（パケットサポートゾーン）とが存在している。つまり、パケット通信を行えない基地局と、パケット通信を行える基地局とが、分散して配置されている。
そのため、パケットサポートゾーンにてパケット通信中に、移動体通信機器を携帯している利用者が、非パケットサポートゾーンに移動する場合もある。
このような場合に、移動体通信機器は、音声発着信が行えるにも拘わらず、圏外表示を行ってしまうという問題があった。
【０００６】
例えば、図７に示すように、パケットサポートゾーンであるＡゾーンと、非パケットサポートゾーンであるＢゾーンとが隣接している状況で、移動体通信機器を携帯する利用者が、Ｘ１地点〜Ｘ４地点へと順に移動したとする。
この場合、Ｘ２地点に至る前までは、パケット通信中の移動体通信機器の表示部に、通信圏内（電波の受信レベル）を示すシンボルｓ１が表示されている。それでも、Ｘ２地点を越えた後では、移動体通信機器が基地局（パケット通信を行える基地局）を止まり木スキャンにて繰り返し検索するため、表示部には、通信圏外を示すシンボルｓ３が表示されることとなる。
そして、Ｘ３地点に至る前において、タイムアウト等により、パケット通信が終了すると、今度は、音声発着信を行える基地局を止まり木スキャンにて検索する。その後、Ｘ３地点にて、検索できた制御チャネルとの同期を済ませると、移動体通信機器の表示部には、再度、通信圏内を示すシンボルｓ１が表示されることとなる。
【０００７】
この他にも、パケットサポートゾーンにとどまっていてる状態において、パケット通信用の無線品質が劣化した場合等でも、移動体通信機器が同様に基地局（パケット通信を行える基地局）を止まり木スキャンにて繰り返し検索するため、その間、表示部には、通信圏外を示すシンボルが表示されることとなる。
【０００８】
これらのように、音声発着信が可能な状況で、移動体通信機器にて、通信圏外を示すシンボルの表示（圏外表示）がなされてしまうと、利用者に不要な誤解や混乱を与えることとなる。
例えば、利用者は、移動体通信機器が故障したのではないかと誤解してしまったり、移動体通信システムのサービスエリアの不備を誤認してしまい、移動体通信機器や移動体通信システムへの信頼感を損ねてしまうこととなる。
【０００９】
この発明は、上記実状に鑑みてなされたもので、通信可能・不可能状態を適切に表示することのできる移動体通信機器および表示制御方法を提供することを目的とする。
【００１０】
【課題を解決するための手段】
上記目的を達成するため、本発明の第１の観点に係る移動体通信機器は、
セル方式が採用された移動体通信システムに適用され、近傍の基地局を介してパケット通信及び音声通信を行う移動体通信機器であって、
予め定められた周波数テーブルに従って止まり木スキャンを行い、所定受信レベルの止まり木チャネルを検索するスキャン手段と、
前記スキャン手段が検索した止まり木チャネルの基地局がパケット通信に対応しているか否かを判別する判別手段と、
前記判別手段が判別した判別結果を規定する判別情報を記憶する記憶手段と、
前記記憶手段が記憶する判別情報に従って、音声通信中及びパケット通信中における通信可能・不可能状態を示す情報を共通に表示する表示手段と、を備え、
前記表示手段は、
音声通信中において通信不可能となると、通信圏外を示す情報を表示し、
パケット通信中において通信不可能となると、パケット通信に対応していないことを示す判別情報が前記記憶手段に記憶されている場合に、通信圏外を示す情報を表示することなく通信圏内を示す情報を表示し、前記記憶手段に記憶されていない場合に、通信圏外を示す情報を表示する、
ことを特徴とする。
【００１４】
上記目的を達成するため、本発明の第２の観点に係る移動体通信機器は、
セル方式が採用された移動体通信システムに適用され、近傍の基地局を介してパケット通信及び音声通信が可能であり、音声通信中及びパケット通信中における通信可能・不可能状態を示す情報を所定の表示部に共通に表示する移動体通信機器であって、
予め定められた周波数テーブルに従って止まり木スキャンを行い、所定受信レベルの止まり木チャネルを検索し、
検索したチャネルの基地局がパケット通信に対応しているか否かを判別して、判別結果を規定する判別情報を所定の記憶部に記憶し、
音声通信中において通信不可能となると、通信圏外を示す情報を表示部に表示し、
パケット通信中において通信不可能となると、パケット通信に対応していないことを示す判別情報が記憶部に記憶されている場合に、通信圏外を示す情報を表示することなく、通信圏内を示す情報を表示部に表示し、記憶部に記憶されていない場合に、通信圏外を示す情報を表示部に表示する、
ことを特徴とする。
【００１５】
上記目的を達成するため、本発明の第３の観点に係る表示制御方法は、
セル方式が採用された移動体通信システムに適用され、近傍の基地局を介してパケット通信及び音声通信を行う移動体通信機器における表示制御方法であって、
予め定められた周波数テーブルに従って止まり木スキャンを行い、所定受信レベルの止まり木チャネルを検索するスキャンステップと、
前記スキャンステップにて検索された止まり木チャネルの基地局がパケット通信に対応しているか否かを判別する判別ステップと、
前記判別ステップが判別した判別結果を規定する判別情報を、所定の記憶部に格納する格納ステップと、
前記格納ステップにて記憶部に格納された判別情報に従って、音声通信中及びパケット通信中における通信可能・不可能状態を示す情報を所定の表示部に共通に表示する表示ステップと、を備え、
前記表示ステップは、
音声通信中において通信不可能となると、通信圏外を示す情報を表示し、
パケット通信中において通信不可能となると、パケット通信に対応していないことを示す判別情報が記憶部に格納されている場合に、通信圏外を示す情報を表示することなく通信圏内を示す情報を表示し、記憶部に格納されていない場合に、通信圏外を示す情報を表示する、
ことを特徴とする。
【００１８】
【発明の実施の形態】
本発明の実施の形態にかかる移動体通信機器について、以下図面を参照して説明する。なお、この移動体通信機器は、セル方式が採用された移動体通信システムにて使用される。
【００１９】
図１は、この発明の実施の形態に適用される移動体通信機器の一例を示すブロック図である。図示するように、この移動体通信機器は、アンテナ１と、無線部２と、ＲＯＭ３と、ＲＡＭ４と、ＣＰＵ５と、表示部６と、キー操作部７と、スピーカ８と、マイク９とを含んで構成される。なお、この移動体通信機器は、通常の音声通信以外にも、パケット通信にてデータ伝送が可能となっている。
【００２０】
アンテナ１は、エレメントを備えた所定のロッドアンテナ等からなり、無線部２から供給された通信情報を所定周波数の搬送波に重畳させ、近傍の基地局等に向けて送信する。
また、アンテナ１は、近傍の基地局等から送られる通信情報（電波）を受信して、無線部２に供給する。
【００２１】
無線部２は、ＣＰＵ５に制御され、アンテナ１を介して近傍の基地局（最終的には、他の携帯電話機やサービスプロバイダ等）との間で、所定の通信情報（音声情報や通信パケット等）を送受信する。
また、無線部２は、アンテナ１を介して受信した周辺に存在する各チャネル（止まり木チャネルの候補となる複数のチャネル）の電界強度（RSSI）をそれぞれ測定する。
【００２２】
ＲＯＭ（Read Only Memory）３は、後述するパケット通信処理、止まり木スキャン処理、圏外表示制御処理、及び、再スキャン処理等を規定するプログラムを予め記憶する。
また、ＲＯＭ３は、止まり木チャネルの候補となる複数チャネルの周波数等を規定する周波数テーブル等も予め記憶する。
【００２３】
ＲＡＭ（Random Access Memory）４は、ＣＰＵ５が、後述するパケット通信処理や止まり木スキャン処理等を実行する際に必要となるワーク情報や変数等を記憶する。
例えば、ＲＡＭ４は、無線部２が計測した各チャネルの電界強度に従って、ハンドオーバ候補等を選ぶための選択テーブル等を記憶する。また、ＲＡＭ４は、移動体通信機器が現在使用しているチャネルについて計測した電界強度値等も記憶する。なお、これらの選択テーブルや電界強度値等は、ＣＰＵ５によって所定のタイミング毎に更新される。
また、ＲＡＭ４は、止まり木スキャンを行った回数等も記憶する。
【００２４】
ＣＰＵ（Central Processing Unit）５は、ＲＯＭ３に記憶されたプログラム（後述するパケット通信処理や止まり木スキャン処理等）を実行し、移動体通信機器全体を制御する。
具体的にＣＰＵ５は、無線部２を制御して止まり木スキャン等を行い、ハンドオーバ候補等を選ぶための選択テーブルを生成してＲＡＭ４に記憶させる。その際、パケット通信が可能か否かを判別しながら、選択テーブルを生成する。
そして、生成した選択テーブル等に従って、ＣＰＵ５は、通信可能・不可能状態を示すシンボルを表示部６に表示する。
【００２５】
表示部６は、液晶表示パネル等からなり、移動体通信機器の動作状況を利用者に報知するための種々の情報を表示する。
例えば、表示部６は、日付・時刻等の情報、バッテリの残量を示す情報、そして、通信圏内（現在使用しているチャネルの受信レベル）又は、通信圏外を示す情報等を表示する。
【００２６】
キー操作部７は、機器正面（前面）等に配置された複数の操作キーからなる。例えば、操作部７には、数字キー、文字キー、ファンクションキー、及び、発信キー等が含まれている。
【００２７】
スピーカ８は、図示せぬベースバンド部等が復調した音声信号等に従って、音声等を発する。
マイク９は、コンデンサマイク等からなり、集音した利用者の音声等を音声信号に変換し、図示せぬベースバンド部等に供給する。
【００２８】
以下、この発明の実施の形態にかかる移動体通信機器の動作について、図２〜図５を参照して説明する。図２は、パケット通信処理を説明するためのフローチャートであり、図３は、止まり木スキャン処理を説明するためのフローチャートであり、図４は、圏外表示制御処理を説明するためのフローチャートであり、そして、図５は、再スキャン処理を説明するためのフローチャートである。
なお、これらの処理は、ＲＯＭ３に記憶されたプログラムがＣＰＵ５によって適宜読み出されて実行される。
【００２９】
最初に、図２を参照してパケット通信処理について説明する。なお、移動体通信機器は、所定のパケットサポートゾーンにおいて、サービスプロバイダ等との間でパケット通信を開始しているものとする。
【００３０】
まず、ＣＰＵ５は、無線部２等を介して所定のパケットを送受信する（ステップＳ１１）。すなわち、ＣＰＵ５は、現在使用しているチャネルにて、近傍の基地局を介してパケットの送受信を行う。
【００３１】
ＣＰＵ５は、割り込み処理にて、品質測定結果を取得する（ステップＳ１２）。例えば、ＣＰＵ５は、現在使用しているチャネルについて計測した電界強度（RSSI）の値を取得する。
【００３２】
ＣＰＵ５は、現在使用しているチャネルがレベル劣化しているか否かを判別する（ステップＳ１３）。例えば、ＣＰＵ５は、取得した電界強度値を予め定められた基準値と比較することにより、レベル劣化しているか否かを判別する。
【００３３】
ＣＰＵ５は、現在使用しているチャネルがレベル劣化していないと判別すると、後述するステップＳ１５に処理を進める。一方、レベル劣化していると判別した場合に、ＣＰＵ５は、止まり木スキャン処理を実行する（ステップＳ１４）。すなわち、ＣＰＵ５は、ＲＯＭ３に記憶した周波数テーブルに従って、各止まり木チャネルについてそれぞれ受信レベルを測定し、一定レベル以上のチャネルを確保する。なお、止まり木スキャン処理の詳細については後述する。
【００３４】
ＣＰＵ５は、パケット通信が完了したか否かを判別する（ステップＳ１５）。例えば、ＣＰＵ５は、利用者によりキー操作部７を介してパケット通信の終了が指示されたか否かを判別する。
【００３５】
ＣＰＵ５は、パケット通信が完了していないと判別した場合、ステップＳ１１に処理を戻し、上述したステップＳ１１〜Ｓ１５の処理を繰り返し実行する。
一方、パケット通信が完了したと判別した場合に、ＣＰＵ５は、パケット通信処理を終了する。
【００３６】
次に、上述のステップＳ１４にて行われる止まり木スキャン処理について図３を参照して説明する。
まず、ＣＰＵ５は、無線部２を制御して止まり木スキャンを行う（ステップＳ２１）。すなわち、ＣＰＵ５は、予めＲＯＭ３に記憶された周波数テーブルに従って複数のチャネルに周波数を合わせ、各チャネルの電界強度値を計測する。そして、ハンドオーバ候補等を選ぶための選択テーブルを生成して、ＲＡＭ４に記憶する。
【００３７】
ＣＰＵ５は、ＲＡＭ４に記憶した選択テーブルの全チャネルにスキップ無しをセットする（ステップＳ２２）。すなわち、ＣＰＵ５は、選択テーブルのスキップ情報をクリアする。
【００３８】
ＣＰＵ５は、ＲＡＭ４に記憶するスキャン回数を更新する（ステップＳ２３）。すなわち、ＣＰＵ５は、止まり木スキャンの回数を管理する値に、１を加えて更新する。
【００３９】
ＣＰＵ５は、ステップＳ２１にて行った止まり木スキャンにより、安定した通信を行える受信レベルのチャネルを検索し、そして、検索したチャネルに選択可能な制御チャネルがあるか否かを判別する（ステップＳ２４）。すなわち、ＣＰＵ５は、通信可能なレベルのチャネルで、かつ、同期が取れた制御チャネルがあるか否かを判別する。
【００４０】
ＣＰＵ５は、選択可能な制御チャネルがあると判別した場合、パケットサービスが使用可能であるか否かを判別する（ステップＳ２５）。すなわち、ＣＰＵ５は、制御チャネルから得られる情報から、その基地局にてパケットサービスが使用可能であるか否かを判別する。
【００４１】
ＣＰＵ５は、パケットサービスが使用可能でない（音声発着信のみが使用可能である）と判別すると、選択テーブルの対応するチャネルにスキップ有りを設定する（ステップＳ２６）。そして、ＣＰＵ５は、上述のステップＳ２４に処理を戻す。
【００４２】
一方、パケットサービスが使用可能であると判別した場合に、ＣＰＵ５は、検索したチャネルを新しいパケットチャネルとして選択する（ステップＳ２７）。そして、パケットチャネルを選択した後、図２に示すパケット通信処理に処理を戻す。
【００４３】
また、上述のステップＳ２４にて、選択可能な制御チャネルがないと判別した場合に、ＣＰＵ５は、圏外表示制御処理を行う（ステップＳ２８）。なお、圏外表示制御処理についての詳細は、後述する。
【００４４】
ＣＰＵ５は、次回のスキャンタイミングを設定する（ステップＳ２９）。例えば、ＣＰＵ５は、図示せぬタイマ回路に、次回の止まり木スキャンを開始するまでの残り時間をセットする。
そして、スキャンタイミングの設定後、ＣＰＵ５は、図２に示すパケット通信処理に処理を戻す。
【００４５】
次に、上述した止まり木スキャン処理のステップＳ２８にて行われる圏外表示制御処理について、図４を参照して詳細に説明する。
まず、ＣＰＵ５は、オプションスイッチの設定値が「Ａ」となっているか、「Ｂ」となっているかを判別する（ステップＳ３１）。なお、このオプションスイッチとは、パケット通信中における圏外表示制御又は、止まり木スキャン回数が規定値を超えた場合における圏外表示制御を選択するための設定値である。このオプションスイッチの設定値は、利用者により任意に設定される。
このオプションスイッチによって、パケット通信中における圏外表示制御を、より一層利用者が希望する形にすることができる。
【００４６】
ＣＰＵ５は、オプションスイッチの設定値が「Ａ」となっていると判別した場合、パケット通信中であるか否かを判別する（ステップＳ３２）。
【００４７】
ＣＰＵ５は、パケット通信中でないと判別した場合（音声通信中において、止まり木チャネルが確保されなかった場合）、後述するステップＳ３５に処理を進める。
一方、パケット通信中であると判別した場合に、ＣＰＵ５は、ＲＡＭ４に記憶した選択テーブルにスキップ有りの設定が存在するか否かを判別する（ステップＳ３３）。すなわち、ＣＰＵ５は、パケット通信中において、音声発着信が可能なチャネルが存在している状態か否かを判別する。
【００４８】
ＣＰＵ５は、スキップ有りの設定が存在すると判別した場合、例えば、アンテナ０本のシンボル（アンテナのみを表すシンボル）を生成して、表示部６に表示する（ステップＳ３４）。すなわち、ＣＰＵ５は、通信圏外を示すシンボル表示をすることなく、通信圏内を示すシンボルを表示部６に表示する。
なお、表示部６にアンテナ０本のシンボルを表示させる代わりに、そのまま現在の受信レベルを示すシンボル（アンテナと縦棒とを表すシンボル）を継続して表示させてもよい。
【００４９】
ＣＰＵ５は、アンテナ０本のシンボルを表示部６に表示すると、圏外表示制御処理を終え、上述した図３に示す止まり木スキャン処理に処理を戻す。
【００５０】
一方、選択テーブル中にスキップ有りの設定が存在しないと判別した場合（ステップＳ３２にてパケット通信中でないと判別した場合も含む）に、ＣＰＵ５は、通信圏外を示すシンボルを表示部６に表示する（ステップＳ３５）。そして、圏外表示制御処理を終え、上述した図３の止まり木スキャン処理に処理を戻す。
【００５１】
また、ステップＳ３１にて、オプションスイッチの値が「Ｂ」であると判別した場合に、パケット通信中であるか否かを判別する（ステップＳ３６）。
ＣＰＵ５は、パケット通信中でないと判別した場合（音声通信中において、止まり木チャネルが確保されなかった場合）、後述するステップＳ３９に処理を進める。
一方、パケット通信中であると判別した場合に、ＣＰＵ５は、ＲＡＭ４に記憶した選択テーブルにスキップ有りの設定が存在するか否かを判別する（ステップＳ３７）。
【００５２】
ＣＰＵ５は、選択テーブル中にスキップ有りの設定が存在しないと判別した場合、後述するステップＳ３９に処理を進める。
一方、選択テーブル中にスキップ有りの設定が存在すると判別した場合に、ＣＰＵ５は、ＲＡＭ４に記憶しているスキャン回数（止まり木スキャンの回数）が規定値Ｎより大きいか否かを判別する（ステップＳ３８）。
ＣＰＵ５は、スキャン回数が規定値Ｎより大きくない（規定値Ｎ以下である）と判別すると、上述したステップＳ３４に処理を進め、圏外表示をすることなく、アンテナ０本のシンボルを表示部６に表示する。
一方、スキャン回数が規定値Ｎより大きいと判別した場合（ステップＳ３６にてパケット通信中でないと判別した場合、及び、ステップＳ３７にてスキップ有りの設定が存在しないと判断した場合も含む）に、ＣＰＵ５は、通信圏外を示すシンボルを表示部６に表示する（ステップＳ３９）。そして、圏外表示制御処理を終え、上述した図３の止まり木スキャン処理に処理を戻す。
【００５３】
次に、上述した図３の止まり木スキャンのステップＳ２９にて次回のスキャンタイミングを設定された後に行われる再スキャン処理について、図５を参照して簡単に説明する。
まず、ＣＰＵ５は、設定されたスキャンタイミングが到来するまで、後続処理を待機する（ステップＳ４１）。
そして、スキャンタイミングが到来すると、ＣＰＵ５は、止まり木スキャン処理を実行する（ステップＳ４２）。
すなわち、ＣＰＵ５は、上述した図３の止まり木スキャン処理及び、図４の圏外表示制御処理を実行する。
【００５４】
以下、上述した各処理に従った移動体通信機器の動作について、より具体的に説明する。
例えば、図６に示すように、パケットサポートゾーンであるＡゾーンと、非パケットサポートゾーンであるＢゾーンとが隣接している状況で、本実施の形態に係る移動体通信機器を携帯する利用者が、Ｘ１地点〜Ｘ４地点へと順に移動したとする。
なお、移動体通信機器は、Ｘ１地点からパケット通信中であるものとする。
【００５５】
この場合、Ｘ２地点に至る前までは、パケット通信中の移動体通信機器の表示部に、通信圏内（電波の受信レベル）を示すシンボルｓ１が表示されている。そして、Ｘ２地点に至ると、上述した図２のパケット通信処理のステップＳ１３にて、チャネルのレベル劣化が判別され、止まり木スキャン処理が実行される。
【００５６】
図３に示す止まり木スキャン処理が実行されると、ステップＳ２４にて選択可能な制御チャネル（Ｂゾーン）の存在が判別され、そして、ステップＳ２５にてパケットサービスが使用可能でないことが判別される。このため、ＲＡＭ４の選択テーブルには、スキップ有りが設定される。続いて、ステップＳ２８にて、圏外表示制御処理が実行される。
【００５７】
図４に示す圏外表示制御処理が実行されると（オプションスイッチの設定値が「Ａ」であるとする）、ステップＳ３２にてパケット通信中であると判別され、ステップＳ３３にて選択テーブルのスキップ有りが判別される。このため、ステップＳ３４にて、アンテナ０本のシンボルが表示される。
【００５８】
つまり、図６に示すように、Ｘ２地点に至っても、通信圏内を示すシンボルｓ２が表示されることとなる（通信圏外を示すシンボルが表示されない）。
そして、Ｘ３地点に至る前において、タイムアウト等により、パケット通信が終了すると、今度は、音声発着信を行える基地局を止まり木スキャンにて検索する。その後、Ｘ３地点にて、検索できた制御チャネルとの同期を済ませると、移動体通信機器の表示部には、再度、通信圏内を示すシンボルｓ１が表示されることとなる。
【００５９】
なお、上述のオプションスイッチの設定値が「Ａ」である場合は、圏外／圏内報知をスピーディに行うことができる。つまり、移動体通信機器を携帯する利用者が頻繁に移動する場合等に有効である。
一方、上述のオプションスイッチの設定値が「Ｂ」である場合は、止まり木スキャン回数が規定値Ｎを超えるまで圏内報知を行い、また、止まり木スキャン回数が規定値Ｎを超えると圏外報知を行うこととなる。そのため、図６に示すＸ２地点−Ｘ３地点の間で止まっているような場合に、設定値が「Ａ」の場合よりも正確に、圏外報知を行うことができる。つまり、移動体通信機器を携帯する利用者があまり移動しない場合等に有効である。
【００６０】
このように、パケット通信中に非パケットサポートゾーンに移行しても、音声発着信が可能であれば、圏外表示を行わない。このため、従来のように（図７に示すように）、パケット通信中に圏外表示され、パケット通信終了後に圏内表示されることがなく、利用者に不要な誤解や混乱を生じさせない。
つまり、利用者に、移動体通信機器の故障や、移動体通信システムにおけるサービスエリアの不備といった誤解を与えることなく、移動体通信機器や移動体通信システムへの信頼感を損なうことがない。
この他にも、パケットサポートゾーンにとどまっていてる状態において、パケット通信用の無線品質が劣化した場合等でも、上記と同様に、適切な表示を行うことができる。
つまり、パケットサポートゾーンにおいて、パケット通信用の無線品質が劣化した場合であっても、上記の止まり木スキャン処理及び圏外表示制御処理が実行され、音声発着信が可能であれば、圏外表示を行わない。
この結果、通信可能・不可能状態を適切に表示することができる。
【００６１】
上記の実施の形態では、止まり木スキャン時（図３の止まり木スキャン処理におけるステップＳ２２）にて、選択テーブルのスキップ情報をクリアしたが、ローミングを考慮する場合に、他のタイミングにて選択テーブルのスキップ情報をクリアしてもよい。
例えば、ホーム網と全てのローミング網でのスキャンに失敗したときに、選択テーブルのスキップ情報をクリアしてもよい。
【００６２】
上記の実施の形態では、パケットサポートゾーンと非パケットサポートゾーンとの区別を、利用者に認識させるのが好ましくないため、単純に圏内表示と圏外表示とに振り分けた場合について説明したが、他の表示に振り分けてもよい。
例えば、通信状態の表示を音声通信とパケット通信とに分け、音声発着信可・不可およびパケット通信可・不可をそれぞれ表示してもよい。
【００６３】
【発明の効果】
以上説明したように、本発明によれば、通信可能・不可能状態を適切に表示することができる。
【図面の簡単な説明】
【図１】本発明の実施の形態に係る移動体通信機器の構成の一例を示すブロック図である。
【図２】本発明の実施の形態に係るパケット通信処理を説明するためのフローチャートである。
【図３】本発明の実施の形態に係る止まり木スキャン処理を説明するためのフローチャートである。
【図４】本発明の実施の形態に係る圏外表示制御処理を説明するためのフローチャートである。
【図５】本発明の実施の形態に係る再スキャン処理を説明するためのフローチャートである。
【図６】本発明の実施の形態に係る移動体通信機器の移動と共に表示部に表示されるシンボルの一例を示す模式図である。
【図７】従来の移動体通信機器の移動と共に表示部に表示されるシンボルの一例を示す模式図である。
【符号の説明】
１  アンテナ
２  無線部
３  ＲＯＭ
４  ＲＡＭ
５  ＣＰＵ
６  表示部
７  キー操作部
８  スピーカ
９  マイク
【図１】
0003850300.tif 000002
【図２】
0003850300.tif 000003
【図３】
0003850300.tif 000004
【図４】
0003850300.tif 000005
【図５】
0003850300.tif 000006
【図６】
0003850300.tif 000007
【図７】
0003850300.tif 000008